(57)【要約】本発明は、供給リール（３０）及び巻取りリール（４０）を含むテープディスペンサ（１０）用リール組立体に関する。リール組立体は、供給リールの一部と巻取りリールの一部との間に設けられた粘性材料（５２）の形態をしているクラッチ（５０）を有する。粘性材料は、修正テープを修正テープディスペンサから小出しするときに修正テープを適正に張るために供給リールと巻取りリールを相互に結合し、これらの間に制御された抵抗をもたらすのに役立つ。本発明は又、粘性クラッチを備えたリール組立体及びテープカートリッジ（７０）を利用するテープディスペンサに関する。リール組立体は好ましくは、修正フィルムを基材に貼付させる修正テープディスペンサに用いられる。
2004514577.tif 000002
【特許請求の範囲】
【請求項１】
テープディスペンサに用いられるリール組立体であって、供給リールと、供給リールと連結関係にある巻取りリールと、供給リールと巻取りリールとの間に設けられた粘性材料とを有することを特徴とするリール組立体。
【請求項２】
粘性材料は、供給リールと巻取りリールを互いに結合し、テープディスペンサから小出しされているテープを適正に張るために供給リールと巻取りリールとの間の制御された抵抗をもたらすことを特徴とする請求項１記載のリール組立体。
【請求項３】
巻取りリールは、連結部分を有し、供給リールは、連結部分を有し、粘性材料は、巻取りリールの連結部分と供給リールの連結部分との間に設けられていることを特徴とする請求項１記載のリール組立体。
【請求項４】
巻取りリールの連結部分と供給リールの連結部分は、実質的に円板の形をした領域を構成し、粘性材料は、前記領域内に設けられていることを特徴とする請求項３記載のリール組立体。
【請求項５】
粘性材料は、シリコーン物質から成ることを特徴とする請求項１記載のリール組立体。
【請求項６】
粘性材料は、シリコーンガムとシリコーン流体の混合物から成ることを特徴とする請求項５記載のリール組立体。
【請求項７】
供給リールは、修正テープのロールを保持するテープキャリヤ表面を有し、巻取りリールは、使用済みテープを受け取るテープキャリヤ表面を有し、供給リールのテープキャリヤ表面及び巻取りリールのテープキャリヤ表面はそれぞれ直径を有していることを特徴とする請求項１記載のリール組立体。
【請求項８】
供給リールのテープキャリヤ表面の直径は、巻取りリールのテープキャリヤ表面の直径よりも小さいことを特徴とする請求項７記載のリール組立体。
【請求項９】
シールが、巻取りリールと供給リールとの間に設けられ、前記シールは、粘性流体を巻取りリールと供給リールとの間に保持するような寸法形状になっていることを特徴とする請求項１記載のリール組立体。
【請求項１０】
シールは、巻取りリールの壁から外方に延びていることを特徴とする請求項９記載のリール組立体。
【請求項１１】
シールは、粘性材料の付近で供給リールと巻取りリールとの間に設けられた独立部材であることを特徴とする請求項９記載のリール組立体。
【請求項１２】
供給リールと巻取りリールとの間に働く摩擦を増大させる機構が設けられていることを特徴とする請求項１記載のリール組立体。
【請求項１３】
少なくとも１つのリブが、供給リール及び巻取りリールのうち少なくとも一方に設けられ、少なくとも前記１つのリブは、粘性材料と連係関係にあることを特徴とする請求項１記載のリール組立体。
【請求項１４】
少なくとも１つのリブは、同心リブ及び半径方向リブから成る群から選択された少なくとも１つであることを特徴とする請求項１３記載のリール組立体。
【請求項１５】
表面処理が、供給リール及び巻取りリールのうち少なくとも一方に施され、表面処理は、粘性材料と連係関係にあることを特徴とする請求項１記載のリール組立体。
【請求項１６】
粘性材料を保持する領域が供給リールの少なくとも一部と巻取りリールの少なくとも一部との間に維持されるようにする少なくとも１つの寸法制御手段を更に有していることを特徴とする請求項１記載のリール組立体。
【請求項１７】
寸法制御手段は、巻取りリールの表面に当接する供給リールの円筒形壁から成ることを特徴とする請求項１６記載のリール組立体。
【請求項１８】
供給リール及び巻取りリールのうち少なくとも一方と連係していて、供給リール及び巻取りリールのうち一方を他方のリールに対して回転させるノブを更に有していることを特徴とする請求項１記載のリール組立体。
【請求項１９】
供給リールは、軸線を有し、巻取りリールは、軸線を有し、巻取りリールの軸線は、供給リールの軸線と同軸ではないことを特徴とする請求項１記載のリール組立体。
【請求項２０】
修正テープディスペンサのリール組立体を収容するカートリッジであって、請求項１記載のリール組立体と、リール組立体を収容する本体とを有し、前記本体には、テープを出し入れする少なくとも１つの開口部が設けられていることを特徴とするカートリッジ。
【請求項２１】
本体は、下シェル部分と連結関係にある上シェル部分を有し前記本体は、修正テープディスペンサに挿入可能な寸法形状になっていることを特徴とする請求項２０記載のカートリッジ。
【請求項２２】
修正テープディスペンサであって、修正テープディスペンサの外部を形成する本体と、前記本体内に配置されていて、粘性クラッチを有するリール組立体と、前記本体内に配置されたディスペンサチップとから成り、前記ディスペンサチップは、本体から延びる一部を有していることを特徴とする修正テープディスペンサ。
【請求項２３】
リール組立体は、修正テープディスペンサの本体から延びるボスに取り付けられていることを特徴とする請求項２２記載の修正テープディスペンサ。
【請求項２４】
リール組立体は、未使用の修正テープを収容する供給リールと、使用済みの修正テープを収容する巻取りリールとから成ることを特徴とする請求項２２記載の修正テープディスペンサ。
【請求項２５】
巻取りリールは、連結部分を有し、供給リールは、連結部分を有し、粘性材料は、巻取りリールの連結部分と供給リールの連結部分との間に設けられていることを特徴とする請求項２４記載のリール組立体。
【請求項２６】
巻取りリールの連結部分と供給リールの連結部分は、実質的に円板の形をした領域を構成し、粘性材料は、前記領域内に設けられていることを特徴とする請求項２５記載のリール組立体。
【請求項２７】
粘性クラッチは、巻取りリールの連結部分と供給リールの連結部分との間に設けられた粘性材料から成り、粘性材料は、供給リールと巻取りリールを互いに結合し、供給リールと巻取りリールとの間に制御された抵抗をもたらすようになっていることを特徴とする請求項２５記載の修正テープディスペンサ。
【請求項２８】
粘性材料は、少なくともシリコーン流体とシリコーンガムの混合物であることを特徴とする請求項２７記載の修正テープディスペンサ。
【請求項２９】
粘性材料は、シリコーン物質であることを特徴とする請求項２７記載の修正テープディスペンサ。
【請求項３０】
表面処理が供給リール及び巻取りリールの連結部分のうち少なくとも一方に施され、表面処理は、粘性材料に接触することを特徴とする請求項２７記載の修正テープディスペンサ。
【請求項３１】
リール組立体と連係していて、巻取りリール及び供給リールのうち少なくとも一方を手動で回転させるノブを更に有し、前記ノブは、本体の外部から接近可能であることを特徴とする請求項２５記載の修正テープディスペンサ。
【請求項３２】
リール組立体に取り付けられ、リール組立体からディスペンサチップの周りに延びそしてリール組立体に戻る修正テープを更に有し、ディスペンサチップは、修正テープを貼付するためのものであることを特徴とする請求項２２記載の修正テープディスペンサ。
【発明の詳細な説明】
【０００１】
〔発明の分野〕
本発明は一般に、修正フィルムを基材表面に貼付するディスペンサに関する。本発明は特に、修正テープに適正な張力を維持する粘性クラッチを利用した修正テープディスペンサ用のリール組立体に関する。
【０００２】
〔発明の背景〕
修正フィルムを表面に貼付するよう設計された多数の器具が知られている。修正フィルムは、基材の表面にくっ付く接着面を有し、一般に、キャリヤテープ上に設けられている。修正フィルムは典型的には、圧力を基材の表面のところでテープに加えることにより基材表面にくっ付けられる。従来公知の器具の例としては、米国特許第５，３１０，４３７号明細書、米国特許第５，９４２，０３６号明細書及び米国特許第６，０６２，２８６号明細書に記載されているものが挙げられる。この種の修正テープはタイプライターにも利用されている。タイプライターに利用されている修正テープカートリッジの例は、米国特許第４，３５０，４５３号明細書に記載されている。
【０００３】
修正テープディスペンサは、種々の形態を取っており、一般に、修正フィルム及びキャリヤテープを収容した供給リール又はスプール及び使用後にテープを受け取る第２の巻取りスプール又はリールを有するハウジングで形成されている。テープは、ハウジングから延びるアプリケータ部材上に送られる。器具は、ユーザの手に保持され、ユーザは、フィルムをテープから表面に移着させるのに十分な圧力を表面上のアプリケータ部材に加える。
【０００４】
ディスペンサは、基材表面上でテープを動かすことにより、テープが供給リールから巻き出され、その間、テープの張力を維持して供給リールの回転により、巻取りリールが使用済みテープを巻き取って受け入れるように設計されている。テープの張力を維持してテープを巻取りリールに巻き付けることができるが、張力がテープをちぎるほど大きくあってはならないことが望ましい。適正な張力を維持するため、通常、巻取りリールと供給リールを互いに結合するクラッチが設けられている。クラッチは、アプリケータ部材上へのテープの効果的な送りを保証するようテープの適正な張力を維持しながら貼付中における滑りを可能にする。
【０００５】
アプリケータ器具は、例えば米国特許第５，３１０，４３７号明細書に開示されているシングルリール設計又は例えば米国特許第６，０６２，２８６号明細書に開示されているダブルリール設計を有する場合がある。シングルリールディスペンサは、供給リールと巻取りリールが共通軸線に沿って整列するものであり、ダブルリールディスペンサは、典型的には、２つの互いに異なる軸線を有している。
【０００６】
米国特許第５，３１０，４３７号明細書は、供給リールの直径が巻取りリールの直径よりも小さな器具を記載している。巻取りリールは、複数の刻み及びテープが刻み上を通っているときに使用済みテープに載る弧状板ばねを有している。テープは、巻取りリールに巻き付かない。そうではなく、テープは、巻取りリール上を通って貯蔵され又は切断される。巻取りリールと供給リールの直径の差に起因して、テープは、供給リールの外面から巻き出される直線速度よりも巻取りリールの刻み上を早い直線速度で動かされる。これが生じると、刻みと板ばねとの間に滑りが生じ、供給リールから巻取りリールへのテープの移動全体を通じて張力をテープに維持する。板ばねは刻みと協働して、巻取りリールと供給リールとの間に一種の滑りクラッチを形成する。
【０００７】
米国特許第６，０６２，２８６号明細書は、互いに異なるシャフトに取り付けられた２つのリールを備えると共に供給速度と巻取り速度を同期させるクラッチを有する器具を記載している。供給リールは、ケース本体の内側部と一体成形された支持シャフトに取り付けられている。巻取りリールは、別個の支持シャフトに取り付けられた状態で使用済みテープを回収する。クラッチ機構は、係合凸起と係合支持部材とを有している。係合凸起は、摩擦係合部材として働く。
【０００８】
信頼性が高く、構造が簡単でしかも製造が安価な改良型クラッチ機構を提供することが望ましい。
【０００９】
〔発明の概要〕
本発明は、テープディスペンサに用いられるリール組立体、リール組立体を収容するカートリッジ及びテープディスペンサ、好ましくは、修正テープディスペンサに関する。本発明の一実施形態のリール組立体は、供給リールと、供給リールと連結関係をなす巻取りリールと、供給リールと巻取りリールとの間に設けられた粘性材料とを有する。粘性材料は、供給リールと巻取りリールとの間に位置するクラッチとしての役目を果たし、テープディスペンサから小出しされているテープを適正に張るために供給リールと巻取りリールとの間に制御された抵抗をもたらす。
【００１０】
巻取りリールは、供給リールの連結部分と連結する連結部分を有する。粘性材料は、供給リールの連結部分と巻取りリールの連結部分との間に設けられている。供給リールと巻取りリールの連結部分相互間の領域は実質的に円板の形をしているのがよい。粘性材料は、シリコーン流体であるのがよい。変形例として、粘性材料は、シリコーンガムとシリコーン流体の混合物であってもよい。
【００１１】
シールを巻取りリールと供給リールとの間に設けるのがよく、このシールは、巻取りリールと供給リールとの間に粘性流体を保持するような寸法形状のものであるのがよい。シールは、巻取りリールの壁から外方に延びていて、これと一体であるのがよい。変形例として、シールは、粘性材料の付近で供給リールと巻取りリールとの間に設けられた独立の部材であってもよい。
【００１２】
リール組立体は、供給リールと巻取りリールとの間に働く摩擦を増大させる機構を有するのがよい。本発明の一実施形態では、少なくとも１つのリブを供給リール及び巻取りリールのうち少なくとも一方に設けるのがよい。リブは、粘性材料と連係するためのものである。リブは、同心リブであっても半径リブであってもよい。変形例として、又はこれと組み合わせて、表面処理を供給リール及び巻取りリールのうち少なくとも一方に施してもよい。表面処理も又、粘性材料と連係関係にある。寸法制御手段をリール組立体に設けるのがよい。寸法制御手段により、粘性材料を保持する領域が供給リールの少なくとも一部と巻取りリールの少なくとも一部の間に維持されるようになる。寸法制御手段は、巻取りリールの表面に当接する供給リールの円筒形壁を有するのがよい。
【００１３】
供給リールは、修正テープのロールを保持するテープキャリヤ表面を有する。巻取りリールは、使用済み修正テープを受け取るテープキャリヤ表面を更に有するのがよい。テープキャリヤ表面は共に直径を有し、供給リールのテープキャリヤ表面の直径は、巻取りリールのテープキャリヤ表面の直径よりも小さい。供給リールは軸線を有し、巻取りリールも軸線を有する。一実施形態では、巻取りリールの軸線は、供給リールの軸線とは同軸ではない。
【００１４】
リール組立体は、供給リール及び巻取りリールのうち少なくとも一方と連係していて、供給リールを巻取りリールから自由にするために供給リール及び巻取りリールのうち一方を他方のリールに対して回転させるノブを更に有するのがよい。
【００１５】
本発明の一実施形態は又、テープディスペンサ、好ましくは、修正テープディスペンサのリール組立体を収容するカートリッジに関する。カートリッジは、リール組立体及びリール組立体を収容する本体を有する。本体には、テープを出し入れする少なくとも１つの開口部が設けられている。本体は、上シェル部分及び下シェル部分を有するのがよく、上下のシェル部分は、互いに連結関係をなす。本体は、テープディスペンサ、好ましくは、修正テープディスペンサに収納可能な寸法形状になっている。
【００１６】
本発明は又、別の実施形態では、本体、リール組立体、ディスペンサチップ及びテープを有するテープディスペンサに関する。本体は、テープディスペンサの外部を形成する。テープディスペンサは、好ましくは、修正テープディスペンサである。リール組立体は、本体内に配置され、粘性クラッチを有している。ディスペンサチップは、本体内に配置され、本体から延びる一部を有している。テープは、リール組立体に取り付けられ、リール組立体からディスペンサチップの周りを通りリール組立体に戻る。リール組立体をテープディスペンサの本体から延びるボスに取り付けるのがよい。
【００１７】
リール組立体は、巻取りリール及び供給リールを有する。供給リールは、未使用（修正）テープのロールを収容し、巻取りリールは、使用済み（修正）テープを収容する。巻取りリールは、供給リールの連結部分と連結する連結部分を有し、粘性クラッチは、巻取りリールの連結部分と供給リールの連結部分との間に位置している。供給リールの連結部分と巻取りリールの連結部分との間に構成される領域は、実質的に円板の形をしているのがよい。
【００１８】
粘性クラッチは、巻取りリールの連結部分と供給リールの連結部分との間に設けられた粘性材料から成る。粘性材料は、供給リールから巻取りリールに小出しされているテープ（修正テープ）を適正に張るために供給リールと巻取りリールとの間に制御された抵抗をもたらす。粘性材料は、シリコーン物質であるのがよい。一実施形態では、粘性材料は、少なくともシリコーンガムとシリコーン流体の混合物である。
表面処理を供給リール及び巻取りリールの連結部分のうち少なくとも一方に施すのがよい。表面処理は、粘性材料と密に接触した状態にあるのがよい。加うるに、巻取りリール及び供給リールのうち少なくとも一方を手動で回転させるノブをリール組立体と連係させるのがよい。ノブは、本体の外部から接近可能である。
本発明の好ましい特徴が、添付の図面に記載されており、図中、同一の符号は同一の要素を示している。
【００１９】
〔実施形態の詳細な説明〕
本発明は、一特徴として、粘性クラッチを有するリール組立体に関する。リール組立体は一般に、修正テープディスペンサ又は交換用カートリッジに用いられることを目的としている。しかしながら、他の用途、例えば、リール組立体を利用する用途は、本発明のクラッチの使用から利益を受けることが見込まれ、かかる用途は、本発明の範囲に属すると考えられる。
【００２０】
本発明の一実施形態のリール組立体を有する修正テープディスペンサが、図１〜図３に示されている。図示の修正テープディスペンサは、単一リール形態のものであり、巻取りリール及び供給リールを有している。このディスペンサは、テープ又は修正テープがどのようなタイプのものであるかは本発明にとって重要ではないので、修正テープを省いた状態で示されている。加うるに、ディスペンサがどのようなタイプのものであるかは、任意タイプのディスペンサの設計が本発明から利益を受けると見込まれるので、これ又本発明にとって重要ではない。加うるに、単一のリールディスペンサが示されているが、二重又は他のリール形態も又、本発明の粘性クラッチから利益を得るであろう。
【００２１】
図１〜図３を参照すると、修正テープディスペンサ１０は、内部要素を備えた外部ハウジング１２を有するものとして示されている。外部ハウジング１２は、２つの部品、即ち、上シェル部分１４及び下シェル部分１６を有している。上シェル部分１４と下シェル部分１６は、周辺リップ１５に沿って互いに嵌合して修正テープディスペンサ１０の内部要素を収容し、全体的にこれらを包囲するように形作られている。ディスペンサ１０は、ディスペンサチップ（先端部）１８及びリール組立体２０を更に有している。ディスペンサチップ１８は、ハウジング１２に設けられた開口部２２内に位置しており、ハウジング１２の内部と外部の両方に延びている。リール組立体２０は好ましくは、ボス２４に取り付け状態で保持されており、このボス２４は、ハウジング１２の一体部分として形成されたものであるのがよい。リール組立体２０は、ボス２４の回りに回転することができる。
【００２２】
リール組立体２０は、以下に詳細に説明するように、修正テープ（図示せず）を保持する。リール組立体２０は、供給リール３０及び巻取りリール４０を有している。１本のテープ、リボン又は材料のストリップが、供給リール３０から延びていて、ハウジング１２に設けられた開口部２２から出て、ディスペンサチップ１８の周りを通りハウジング内へ戻り、そして巻取りリール４０に至るよう案内される。ディスペンサチップ１８は、好ましくは比較的尖ったエッジ２６を有し、このエッジは、修正テープが貼付される表面にテープを押し付けるのに用いられる。テープは、この場合、好ましくは、修正組成物の被膜を担持した材料のリボン又はストリップから成っている。リボンを紙、プラスチック又は他の材料から作るのがよい。被膜は好ましくは、リボンがディスペンサチップ１８の周りを通るときリボンの外側に位置決めされる。テープは、材料の任意タイプのリボン又はストリップであってよく、好ましくは、キャリヤリボンの片側に被着された修正組成物被膜の層を有している。被膜をディスペンサチップ１８を利用して表面にいったん被着させると、キャリヤリボンの形態をした使用済みテープがリール組立体２０の巻取りリール４０に巻き付けられて貯蔵される。ディスペンサ１０は好ましくは、ユーザの手に保持されるようになっている。
【００２３】
供給リール３０と巻取りリール４０は、一方の回転により他方が回転するよう互いに連結されている。未使用状態の修正テープロール（図示せず）が供給リール３０に取り付けられている。修正層を表面に被着させた後、巻取りリール４０は自動的に使用済みテープを回収する。
【００２４】
使用にあたり、ディスペンサ１０は好ましくは、ユーザの手の中に保持され、ディスペンサチップ１８を紙（又は他の基材表面）上に押し当ててそのエッジ２６が好ましくはテープをその幅全体にわたって表面に押し付けるようにする。修正組成物は、接着剤の性質を有し、そのキャリヤリボンよりもテープへの粘性性が高く、したがって、チップ１８を紙表面を横に変位させると、チップ１８はリボンに対して滑り、テープが供給リール３０から引き出されるようになる。その結果としての供給リールの回転により、巻取りリール４０が回転し、テープに実質的に一定の張力が維持され、巻取りリール４０は使用済みテープを巻き取るようになる。このようにすると、修正組成物の連続ストリップを紙上に貼付することができ、ストリップは、ディスペンサチップ１８の移動した距離に一致した長さを有する。
【００２５】
供給リール３０は、リボン上に付着状態の修正組成物を有する修正テープのロールを支持するような寸法形状になっている。巻取りリール４０は、修正組成物をリボンから取り出して表面上に被着させた後リボンを支持するような寸法形状になっている。しかしながら、巻取りリール４０は又、テープの未使用部分、例えば、表面に被着されないが、依然として巻取りリール４０に巻き取られている部分を収容するような寸法形状になっていることは注目されるべきである。
【００２６】
供給リール３０と巻取りリール４０は、ボス２４又はポスト（図１〜図３参照）によって定められた供給軸線Ｘ−Ｘの回りに回転自在である。リール３０，４０は、テープが供給リール３０から引き出されるのに応動して供給リール３０が回転すると、巻取りリール４０が回転するように互いに結合されている。より好ましくは、リール３０，４０は、粘性クラッチ５０によって互いに結合されており、この粘性クラッチにより、供給リール３０に対する巻取りリール４０の滑りが可能になり、したがって、リール４０がリール３０とは異なる角速度で回転できるようになっている。粘性クラッチ５０は、好ましくは巻取りリール４０と供給リール３０の連結セクションの部分の相互間に位置する粘性材料５２を有している。
【００２７】
作用を説明すると、供給リール３０に取り付けられた未使用修正テープゴールの外形は、減少し、他方、巻取りリール４０に巻き取られた使用済みテープの外径は増大する。かくして、各リール上のリボン材料の直径は、修正テープの使用につれて変化し、互いに異なる場合が多い。供給リール３０上のテープの直径が、巻取りリールに集められたリボンの直径よりも大きいと、供給リールの一回転により、巻取りリールの一回転で集められる長さよりも長いテープが巻き出され、弛みが２つのリールの相互間に生じる場合がある。これとは逆に、供給リール３０が巻取りリール４０のリボン直径よりも小さなテープ直径を有している場合、供給リールの一回転により、巻取りリール４０の一回転により回収する量よりも少ない量のテープが巻き出され、それにより、テープに大き過ぎる張力が加わり、その結果、ちぎれる恐れがある。かかる事態を防止するため、２つのリールを、供給リールの回転により巻取りリールが回転し、しかもリールが互いに異なる角速度又は回転速度を有することができるよう結合する必要がある。粘性継手により、リール３０，４０は互いに対して滑って互いに異なる回転速度を持つことができるようなる。換言すると、クラッチ５０を用いなければ、巻取りリール４０の巻取り速度は、供給リールの巻出し速度よりも経時的に異なる。供給リール３０と巻取りリール４０が非同期状態であれば、その結果として、使用済みテープに大き過ぎるために又は大き過ぎる張力が生じることになる。粘性クラッチ５０は、供給リール３０と巻取りリール４０の回転を同期させて巻取りリール４０の巻取り速度が、供給リール３０からの修正テープの巻出し速度とほぼ同一である速度の状態にあるようにする。
【００２８】
図５Ｄに示すように、粘性材料５２は好ましくは、巻取りリール４０のクラッチ表面４２と供給リール３０のクラッチ表面３２との間に設けられている。これらクラッチ表面３２，４２は図示の実施形態では円筒形である。連結クラッチ面３２，４２相互間に生じる領域Ｂは、粘性材料５２の実質的に円板の形をした領域となる。粘性材料５２をクラッチ表面３２，４２相互間に保持するのがよく、或いは、クラッチ表面３２，４２とそれぞれ連係した供給リール及び巻取りリール筒体のそれぞれの内側部３６，４６に沿って円筒形表面を越えて延びてもよい。
【００２９】
所望ならば、粘性材料５２を２つのリール３２，４２相互間に保持するためにシール６０を供給リール３０と巻取りリール４０の間に設けるのがよい。このシール６０を供給リール３０又は巻取りリール４０のいずれかと一体成形してもよく、或いは、別々に形成して２つのリール相互間に挿入してもよい。別個のシールは、例えばゴムで作られたものであるのがよい。幾つかのシール形態の例が、図６Ａ及び図６Ｂに示されている。使用できるタイプのシールの一例は、ラビリンスシール又はＯリングである。好ましいＯリングは、ペンシルベニア州ニュータウン所在のペルモア・ラボラトリーズ（Ｐｅｌｍｏｒ Ｌａｂｏｒａｔｏｒｉｅｓ ）によって供給されるフルオロエラストマーで作られる。図６Ａは、左側に設けられ、巻取りリール４０と一体の単一のシール６０を示している。図６Ａの右側には、巻取りリール４０と供給リール３０との間に位置決めされた３つのＯリングシール６２が示されている。図６Ｂは又、２つの互いに異なるシールの形態を示している。左側では、単一のシール６４が、供給リール３０から外方に延びている。図６Ｂの右側面図では、２つの互いに並んで位置するシール６６が設けられている。シール６０，６２，６４，６６は、リールと一体であってもよく、又は、これらとは別体であってもよい。図６の左側のシールは、図６の右側のシールとは異なっている。ただし、これは、説明の都合に過ぎない。明らかなこととして、両側のシールは好ましくは、任意の実際のリールの組立体において同一である。ただし、これは本発明にとって重要ではない。
【００３０】
図６Ｃは、粘性材料５２のクラッチ５０内に維持するためにクラッチ領域内に形成できる別の形態のシールを示している。この実施形態では、円筒形壁６５が、巻取りリールクラッチ表面４２の周囲の周りに下方に延びている。相補形状の凹み６７は、供給リールクラッチ表面クラッチ３２の周囲の周りに設けられていて、円筒形壁６５が凹み６７に嵌まり込むようになっている。隙間が、領域Ａが好ましくはクラッチ表面３２，４２相互間に得られるよう隙間が設けられている。粘性材料５２は、クラッチ表面３２，４２相互間の領域Ａに配置されている。凹み６７に嵌まり込む円筒形壁６５を用いることにより、粘性材料５２を維持する包囲領域がクラッチ表面３２，４２相互間に形成されている。
他形式のシールも又、本発明の範囲に属するものである。クラッチに用いられる材料の形状に応じて、シールが有利に使用されるのがよい。例えば、巻取りリール４０と供給リール３０との間の空間から逃げ出る可能性が高い材料では、シールが必要な場合がある。しかしながら、逃げ出る、したがって、シールを必要としない例えば以下に説明するような他の材料が存在する。したがって、必要な場合又は所望の場合、シールを用いることができるが、これは本発明にとっては重要ではない。また、リール組立体、カートリッジ又はディスペンサの他の部分相互間にシールを用いてもよい。変形例として、シール以外の物質又は流体を用いて粘性材料をクラッチ内に維持してもよい。例えば、フルオロシリコーンエラストマーを用いると粘性材料５２をクラッチ５０内に保持することができる。
【００３１】
供給リール３０と巻取りリール４０の連結クラッチ面３２，４２を実質的に円筒形のものとして説明して図示したが、クラッチ表面３２，４２及び粘性クラッチ５０について他の形状を用いてもよいことは注目されるべきである。例えば、クラッチ表面は、粘性材料が互いに連結された円錐相互間に層を形成するよう円錐の形をしていてもよい。他の形状、例えば、連結されたバケット、凹面、凸面又は他の形状は、本発明の範囲に属すると考えられる。本発明は、特定の合致する表面形状には限定されない。
【００３２】
再び図４Ａ〜図４Ｄを参照すると、供給リール３０は、修正テープのロールを支持する棚部の形態をしたテープキャリヤ表面３４を有し、巻取りリール４０は、使用済み修正テープのロールを支持する棚部の形態をしたテープキャリヤ表面４４を有している。供給リールテープのキャリヤ表面３４の直径は好ましくは、巻取りリールのテープキャリヤ表面４４の直径よりも小さい。修正テープが供給リール３０から巻取りリール４０に走行しているとき、修正テープに適正な張力を与えるのを助けるために小径の供給リールテープキャリヤ表面３４が用いられる。
供給リールテープキャリヤ表面３４及び巻取りリールテープキャリヤ表面４４の直径を、粘性材料５２の形状に基づいて粘性クラッチ５０内に配置されるよう選択された適正な張力をもたらすよう設定するのがよい。
【００３３】
大径の巻取りリールテープキャリヤ表面４４に対し、小径の供給リールテープキャリヤ表面３４を設ける１つの理由は、キャリヤリボン上の修正組成物が基材表面に貼付した後のテープの厚さの変化を見越していることにある。特に、貼付前、供給リール３０上のテープは、キャリヤリボンと修正テープの組成物の両方を含む。ただし貼付中、修正組成物は、キャリヤリボンから実質的に除かれ、表面に貼付され、それにより、後に空のキャリヤリボンが残る。このキャリヤリボンの厚さは、元の修正テープに対し減少している。かくして、キャリヤリボンが巻取りリール４０に巻き付けられると、リール４０上に必要なスペースは少ない。その結果、巻取りリール４０上のリボンの直径は、供給リール３０上の未使用状態の修正テープの直径に対し減少している。大径巻取りリールテープキャリヤ表面４４を設けることは、供給リール３０上の修正テープの直径を巻取りリール４０上に集められたキャリヤリボンの直径に等しくするのに役立ち、したがって、クラッチ５０は、供給リールと巻取りリールの回転速度の大きなばらつきに対応する必要がないようになっている。
【００３４】
さらに、図４Ａ〜図４Ｄに示すように、供給リールの３０は、修正テープのロールを定位置に保持するテープ又はリール側部分３８を有している。巻取りリール４０も又、使用済み修正テープのロールを保持するテープ又はリール側部分４８を更に有している。各側部３８，４８は好ましくは、未使用又は使用済み修正テープのロール全体をそれぞれ保持するのに十分な長さのものである。図４Ｄに示すように、巻取りリール４０の側部４８は、供給リール３０の側部３８の長さよりも短い長さのものであることが見込まれる。ただし、これは本発明にとって重要ではない。各側部３８，４８は、少なくとも使用済み又は未使用修正テープのロール全体をそれぞれ保持するのに十分であることが好ましい。
【００３５】
巻取りリール４０及び供給リール３０は、上シェル部分１４上に又はカートリッジ（図５Ａに示す）上に形成されるボス２４と連結（嵌合）する部分を更に有する。図４Ｄに示すように、巻取りリール４０は、ボス２４と連結（嵌合）する車軸ボス５４を有し、供給リール３０は、下シェル部分１６に設けられた溝５８と連結（嵌合）する車軸ボス５６を有している。図示の単一のリール構成例では、車軸ボス５６は好ましくは、巻取りリール車軸ボス５４と同一の軸線に沿って整列し、したがって、巻取りリール４０及び供給リール３０は、共通軸線Ｘ−Ｘを中心として回転するようになっている。しかしながら、本発明は、リールの軸が整列しない二重リール設計にも適用できることは注目されるべきである。
【００３６】
粘性材料５２は、供給リール３０を巻取りリール４０に機械的に連結する。テープを供給リール３０から巻取りリール４０に小出しすることにより伝達される機械的な力は、クラッチ５０の粘性材料５２を介して伝達される。粘性材料５２により、巻取りリール４０は、使用中滑ることができ、したがって、テープの張力はテープがちぎれるまで又は性能が落ちる程度まで増大しない。
【００３７】
粘性材料５２は好ましくは、巻取りリール４０と供給リール３０との間の領域Ｂに設けられている。多種多様な粘性材料を粘性クラッチ５０に利用することができる。粘性材料５２は、液体、ゲル、固体、他の材料又はこれらの組み合わせであってよい。好ましい実施形態では、粘性材料は、低粘度オルガノシロキサン、例えば、シリコーン液体と高粘度ガム、例えば、シリコーンゲルとの混合物である。低粘度オルガノシロキサンを用いると、シリコーンガムの高い粘度を減少させ、又は調整することができる。ガムとシロキサンの比を調節すると、巻取りリールと供給リールとの間の好ましい抵抗特性を達成することができる。シロキサンとガムの組み合わせを好ましくは十分に混合させると均質混合物が形成される。
【００３８】
好ましい低粘度オルガノシロキサンは、ミシガン州テクムセに所在のシル−テック（Ｓｉｌ −Ｔｅｃｈ）コーポレイションによって製造されている。かかる低粘度材料としては、次のものが挙げられる。
【００３９】
（表１）
2004514577.tif 000003
【００４０】
好ましいシリコーンゲル（これは、一般にシリコーンガムとも呼ばれている）は、粘度が２４，０００センチストークスのＳＴ−２９及び粘度が２００万センチストークスのＳＴ−９２０である。好ましい混合物の例としては、ＳＴ−９２０とＳＴ−２２を組み合わせたもの（ポリジメチルシロキサン）が挙げられる。これら材料は好ましくは、約１：１の量で混合される。
【００４１】
他のタイプの材料も又利用できる。例えば、シリコーン液、ポリブチレン又はダイラタント流体を使用できる。化学的等級としてシリコーンが好ましい。というのは、これは不活性であって安定性があるからである。粘性材料は、透明であってもよく、無色であってもよく、濁っていてもよく、ペースト状であってもよく、着色されたものであってもよい。もし美観上の理由で望ましければ着色剤を粘性材料に添加してもよい。粘性材料の色は、本発明の必須の要件ではない。
【００４２】
図５Ａ〜図５Ｄを参照すると、本発明の別の実施形態が、上シェル７２、下シェル７４及び本発明のリール組立体２０を有するカートリッジ７０を含むものとして示されている。上シェル７２は、開口部７３を備えた状態で示されている。開口部７３を設けるかどうかは任意であり、これら開口部は、カバーの製造の際に用いられる材料の量を減少させるために利用される。変形例として、開口部７３は、どれほど多くのテープが供給リール３０に残っているかを確かめるために視認窓としての役目を果たすことができる。開口部７３を上シェル７２と下シェル７４の両方に設けるのがよい（下シェル７４には示されていない）。
【００４３】
カートリッジ７０は、修正テープをディスペンサチップ（図５Ａ〜図５Ｄには示されていない）に送り出すことができる開口部７６を有している。カートリッジ７０を修正テープディスペンサの交換用テープカートリッジとして用いることができる。リール組立体２０の拡大図が、図５Ｄに示されており、このリール組立体２０は、厚さＡ及び領域Ｂを有し、この領域Ｂでは、粘性材料５２が粘性クラッチ５０内に位置している。上シェル７２は、巻取りリール４０と嵌合するボス２４を有し、下シェル７４は、供給リール３０と嵌合する部分５８を有している。
【００４４】
カートリッジ７０はリール組立体がカートリッジの内部に設けられた状態で外シェルを有するものとして示されているが、交換可能なカートリッジの他の形態も又本発明の範囲に属する。例えば、交換用カートリッジは、外シェルを有することは要件ではない。交換用「カートリッジ」は単に、図１〜図３に示すタイプの外部ハウジング内に挿入できるリール組立体を有するものであってよい。他形式のハウジングも又、本発明で役に立つと考えられ、本発明は、特定の設計のハウジング又は特定の設計の交換用カートリッジには限定されない。リール組立体２０は、修正テープディスペンサハウジングから取り外し可能であって、交換用リール組立体２０で容易に置き換えられるように使い捨てであるのがよい。
【００４５】
図５Ｄに示すように、クラッチ５０内の粘性材料５２について適正な隙間をもたらすために寸法制御手段がリール組立体２０内に設けられている。上述のように、図中の“Ａ”は、巻取りリール４０と供給リール３０の連結面３２，４２相互間の厚さを示している。厚さＡは好ましくは、少なくとも約０．０１インチ（０．２５４ミリメートル）に維持されるが、この空間は、利用される粘性材料５２の正常に基づいて様々であってよい。領域“Ｂ”は、合致した表面相互間に形成され、かかる領域は、厚さ“Ａ”に応じて様々であってよい。材料の中には、正しく働くためには他の材料よりも大きな厚さ“Ａ”を必要とし、かくして広い領域“Ｂ”を必要とするものがある。
【００４６】
粘性材料５２をクラッチ５０から押し出すのを回避するために寸法制御手段が利用される。正しい間隔を確保するため、巻取りリール４０と供給リール３０との間の厚さＡを得るのに役立つ停止部８０を設けることが望ましい。これら停止部８０は、供給リール３０から壁８２の先端部８１まで延びる円筒形壁８２によって構成される。これら壁８２は、一方の側部が下シェル１６に当接すると共に他方の側部が巻取りリール４０に当接する。好ましい実施形態では、壁８２の先端部８１（これは、巻取りリール４０及び下シェル７４に当接する部分である）は、部品相互間の摩擦を軽減し又は無くすために丸みが付けられている。ただし、これは、本発明の必須の要件ではない。巻取りリール４０の壁及び上シェル７２によっても他の寸法制御手段が得られる。上シェル７２は、下シェル７４と連結（嵌合）する外部リップ１５を有している。加うるに、巻取りリール４０は、上シェル７２に当接する停止部８４を有し、この停止部８４は、カートリッジ７０内でのリール組立体２０の正しい位置決めを可能にするのに役立つ。
【００４７】
図７Ａ、図７Ｂ、図８Ａ及び図８Ｂを参照して説明すると、リール３０，４０と粘性材料５２の接触面積を増大させるためリブを粘性クラッチ５０内に設けるのがよい。リブの一実施形態の例が、図７Ａ及び図７Ｂに示されており、これらの図は、巻取りリール４０の連結クラッチ面４２の中央から外方に延びる半径方向リブ８６を示している。この実施形態の巻取りリール４０の円筒形壁４６にはリブ８７が更に設けられている。連結クラッチ面又は壁に設けられたリブを単独で又は一緒に使用することができる。図８Ａ及び図８Ｂは、供給リール３０の連結クラッチ面３２に設けられた同心リブ８８を示している。どのようなタイプのリブであってもクラッチ領域５０内において有用である。他の形状のリブも又単独で、或いは他形式のリブと組み合わせて用いることができる。なお、本発明は、図示の形状には限定されない。リブに加えて又はリブに代えて、他の表面処理、例えば表面模様を用いてもよい。表面処理、例えば、表面模様、リブ又は他の処理は、リール相互間の摩擦を増大させる。また、かかる表面処理により、クラッチ内の表面積を小さくし、密封領域を減少させることができる。表面処理は又、潜在的な粘性流体の劣化を遅らせるのに有用である。というのは、摩擦がリール相互間で生じ、流体に加わる応力が低いからである。したがって、巻取りリール４０と供給リール３０の連結クラッチ面３２，４２相互間の面積Ｂを用いる表面処理のタイプに応じて変えることができるということに注目されるべきである。さらに、供給リール表面、巻取りリール表面又はこれら両方に表面模様又は他の表面処理を施すのがよい。
【００４８】
図６Ａに示すように、クラッチを稼働させる機構を粘性材料が非使用期間後に固まり又は動かない場合に備えて設けるのがよい。例えば、図６Ａに示すようなノブをハウジングの巻取りリール４０に設けるのがよい。ノブ９０は、ハウジング１２の上シェル７２に設けられたボス２４を介して接近できる。ノブを、任意の数の場所に設けてよく、変形例として、供給リール３０と連係させてもよい。加うるに、ノブ９０が巻取りリール４０と供給リール３０のうち一方に設けられている場合、他方のリールを静止状態に保持する機構、例えば、他方のリールに設けられた切欠きを保持する開口部（図示せず）を設けるのがよい。他方のリールを静止状態に保持する機構は必要ではない場合がある。というのは、テープは、一方のリールの回転を可能にしてその運動を自由にするのを助ける場合があるからである。
【００４９】
本発明の種々の説明、実施形態及び特徴を上述したが、種々の特徴を単独で又は任意の組み合わせ状態で用いることができることは理解されるべきである。図示の別々の実施形態はそれぞれ、他の実施形態と関連して又は併存して使用できる。したがって、本発明は、図示の特に好ましい実施形態だけに限定されるものではない。
さらに、当業者であれば、本発明の精神及び範囲に属する変形例及び改造例を想到できることは理解されるべきである。したがって、本願の開示内容から当業者が容易に想到できる全ての変形例は本発明の範囲及び精神に属するものであり、本発明の別の実施形態と見なされるべきである。
【図面の簡単な説明】
【図１】
本発明の一実施形態としての粘性クラッチを有する修正テープディスペンサの斜視図である。
【図２】
図１の修正テープディスペンサの平面図であり、粘性クラッチの巻取りリールを示す図である。
【図３】
図１の修正テープディスペンサの側面図であり、上に位置する巻取りリール及び下に位置する供給リールを示す図である。
【図４Ａ】
供給リールと巻取りリールの両方を有する本発明の一実施形態の粘性クラッチのリール組立体の平面図である。
【図４Ｂ】
図４Ａのリール組立体の底面図である。
【図４Ｃ】
図４Ａのリール組立体の側面図である。
【図４Ｄ】
図４Ｂのリール組立体の４−４線矢視断面図である。
【図５Ａ】
本発明の一実施形態の粘性クラッチを有するカートリッジの平面図である。
【図５Ｂ】
図５Ａに示すカートリッジの側面図である。
【図５Ｃ】
図５Ｂの側面図に対し９０°変位した状態の側面図であり、カートリッジに設けられていて、修正テープを伸長させる開口部を示す図である。
【図５Ｄ】
図５Ａのカートリッジの５−５線矢視断面図である。
【図６Ａ】
本発明の一実施形態のリール組立体の断面図であり、巻取りリールに設けられていて、クラッチの粘性材料を巻取りリールと供給リールとの間に保持するのを助ける種々のタイプのシール及び供給リールに設けられていて、供給リールの運動を自由にさせるのに用いられるノブを示す図である。
【図６Ｂ】
本発明の別の実施形態としてのリール組立体の断面図であり、供給リールに設けられていて、粘性材料を巻取りリールと供給リールとの間に保持するのを助ける幾つかの種々のタイプのシールを示す図である。
【図６Ｃ】
本発明の別の実施形態のリール組立体の断面図であり、粘性材料を巻取りリールと供給リールとの間に保持するのを助けるクラッチ表面の異なる形状を示す図である。
【図７Ａ】
本発明の一実施形態の巻取りリールの底面図であり、クラッチ領域内に半径方向リブが設けられている状態を示す図である。
【図７Ｂ】
図７Ａの巻取りリールの断面図である。
【図８Ａ】
本発明の一実施形態の供給リールの平面図であり、クラッチ領域に同心リブが設けられている状態を示す図である。
【図８Ｂ】
図８Ａの巻取りリールの断面図である。
【国際公開パンフレット】
2004514577.tif 000004
2004514577.tif 000005
2004514577.tif 000006
2004514577.tif 000007
2004514577.tif 000008
2004514577.tif 000009
2004514577.tif 000010
2004514577.tif 000011
2004514577.tif 000012
2004514577.tif 000013
2004514577.tif 000014
2004514577.tif 000015
2004514577.tif 000016
2004514577.tif 000017
2004514577.tif 000018
2004514577.tif 000019
2004514577.tif 000020
2004514577.tif 000021
2004514577.tif 000022
2004514577.tif 000023
2004514577.tif 000024
2004514577.tif 000025
2004514577.tif 000026
2004514577.tif 000027
2004514577.tif 000028
2004514577.tif 000029
2004514577.tif 000030
2004514577.tif 000031
2004514577.tif 000032
2004514577.tif 000033
【国際公開パンフレット（コレクトバージョン）】
2004514577.tif 000034
【国際調査報告】
2004514577.tif 000035